(57)【特許請求の範囲】
【請求項１】
最終事象が頂点に位置し、その最終事象に対してその最終事象の起因となり得る一次事象群が論理記号で結合され、各一次事象に対してその一次事象の起因となり得る二次事象群が論理記号で結合され、以下順に、各上位事象に対してその上位事象の起因となり得る下位事象群が論理記号で結合された事象の連鎖解析図の作成を支援する為に、
上位事象に対する下位事象群の入力を促す表示をし、入力された下位事象群から関連事象を検索し、検索結果に基づいて整理された下位事象群をそのときの上位事象群と関連付けて記憶し、このようにして記憶された上位事象と下位事象群の連鎖を図式化して事象の連鎖解析図の作成を支援するプログラムが記憶されている媒体。
【請求項２】
最終事象が頂点に位置し、その最終事象に対してその最終事象の起因となり得る一次事象群が論理記号で結合され、各一次事象に対してその一次事象の起因となり得る二次事象群が論理記号で結合され、以下順に、各上位事象に対してその上位事象の起因となり得る下位事象群が論理記号で結合された事象の連鎖解析図の作成を支援する為に、
上位事象に対する下位事象群の入力を促す表示をし、入力された事象群の一つを選択し、さらに他の一つの事象を選択したときに、選択された一方の事象を他方の事象の下位事象と関連付け直し、このようにして関連付け直された上位事象と下位事象群の連鎖を図式化して事象の連鎖解析図の作成を支援するプログラムが記憶されている媒体。
【請求項３】
上位事象に対してその上位事象の起因となり得る下位事象群が論理記号で結合された事象の連鎖解析図の作成を支援する為に、
上位事象に対する下位事象群の入力を促す表示をし、入力された下位事象群から関連事象を検索し、検索結果に基づいて整理された下位事象群をそのときの上位事象群と関連付けて記憶し、このようにして記憶された上位事象と下位事象群の連鎖を図式化して事象の連鎖解析図の作成を支援するプログラムが記憶されている媒体。
【請求項４】
上位事象に対してその上位事象の起因となり得る下位事象群が論理記号で結合された事象の連鎖解析図の作成を支援する為に、
上位事象に対する下位事象群の入力を促す表示をし、入力された事象群の一つを選択し、さらに他の一つの事象を選択したときに、選択された一方の事象を他方の事象の下位事象と関連付け直し、このようにして関連付け直された上位事象と下位事象群の連鎖を図式化して事象の連鎖解析図の作成を支援するプログラムが記憶されている媒体。
【請求項５】
入力された下位事象群の一つを選択したときに、その選択された下位事象のさらに下位の事象群の入力を促す表示をするプログラムが付加されていることを特徴とする請求項１〜４のいずれかの媒体。
【請求項６】
下位事象群の全部を入力したときに、それに対する上位事象以外の同位の事象の入力を促す表示をするプログラムが付加されていることを特徴とする請求項１〜４のいずれかの媒体。
【請求項７】
最終事象が頂点に位置し、その最終事象に対してその最終事象の起因となり得る一次事象群が論理記号で結合され、各一次事象に対してその一次事象の起因となり得る二次事象群が論理記号で結合され、以下順に、各上位事象に対してその上位事象の起因となり得る下位事象群が論理記号で結合された事象の連鎖解析図の作成を支援する為に、
上位事象に対する下位事象群の入力を促す表示をし、入力された下位事象群から関連事象を検索し、検索結果に基づいて整理された下位事象群をそのときの上位事象群と関連付けて記憶し、このようにして記憶された上位事象と下位事象群の連鎖を図式化して事象の連鎖解析図の作成を支援するプログラムが記憶されている装置。
【請求項８】
最終事象が頂点に位置し、その最終事象に対してその最終事象の起因となり得る一次事象群が論理記号で結合され、各一次事象に対してその一次事象の起因となり得る二次事象群が論理記号で結合され、以下順に、各上位事象に対してその上位事象の起因となり得る下位事象群が論理記号で結合された事象の連鎖解析図の作成を支援する為に、
上位事象に対する下位事象群の入力を促す表示をし、入力された事象群の一つを選択し、さらに他の一つの事象を選択したときに、選択された一方の事象を他方の事象の下位事象と関連付け直し、このようにして関連付け直された上位事象と下位事象群の連鎖を図式化して事象の連鎖解析図の作成を支援するプログラムが記憶されている装置。
【請求項９】
上位事象に対してその上位事象の起因となり得る下位事象群が論理記号で結合された事象の連鎖解析図の作成を支援する為に、
上位事象に対する下位事象群の入力を促す表示をし、入力された下位事象群から関連事象を検索し、検索結果に基づいて整理された下位事象群をそのときの上位事象群と関連付けて記憶し、このようにして記憶された上位事象と下位事象群の連鎖を図式化して事象の連鎖解析図の作成を支援するプログラムが記憶されている装置。
【請求項１０】
上位事象に対してその上位事象の起因となり得る下位事象群が論理記号で結合された事象の連鎖解析図の作成を支援する為に、
上位事象に対する下位事象群の入力を促す表示をし、入力された事象群の一つを選択し、さらに他の一つの事象を選択したときに、選択された一方の事象を他方の事象の下位事象と関連付け直し、このようにして関連付け直された上位事象と下位事象群の連鎖を図式化して事象の連鎖解析図の作成を支援するプログラムが記憶されている装置。
【請求項１１】
入力された下位事象群の一つを選択したときに、その選択された下位事象のさらに下位の事象群の入力を促す表示をするプログラムが付加されていることを特徴とする請求項７〜１０のいずれかの装置。
【請求項１２】
下位事象群の全部を入力したときに、それに対する上位事象以外の同位の事象の入力を促す表示をするプログラムが付加されていることを特徴とする請求項７〜１０のいずれかの装置。
【発明の詳細な説明】
【０００１】
【発明の属する技術分野】
本発明は、最終的に問題となる事象を解析し、その最終問題事象（最終事象）の起因となり得る事象群の連鎖の構造を把握しやすくする技術、即ち、ＦＴＡ（Fault Tree Analysis）を容易に実施できるように支援する技術に関する。
【０００２】
【従来の技術】
例えば、コンポジットチューブが破損するという最終事象は、亀裂が発生するか、変形することで起こる。その亀裂が発生するという事象は、入力が大きいか、材質が環境で劣化するか、材料強度が不足することで起こる。その入力が大きいという事象は、軸方向荷重が大きいか、トルクが大きいか、外力荷重が大きいことで起こる。その外力荷重が大きいという事象は、搭載中に物にぶつかるか、搭載中に物がぶつかるか、搭載後に物にぶつかるか、搭載後に物がぶつかることで起こる。コンポジットチューブが破損するという最終事象は、例えば亀裂が発生するという事象（一次事象）が起因となる可能性があり、その一次事象は例えば入力が大きいという事象（二次事象）が起因となる可能性があり、その二次事象は例えば外力荷重が大きいという事象（三次事象）が起因となる可能性があり、その三次事象は例えば搭載中に物にぶつかるという事象（四次事象）が起因となる可能性がある。
【０００３】
扱っている装置、方法あるいはシステムが複雑となると、最終事象とその最終事象の起因となり得る事象群の連鎖の関係が容易に理解できなくなる。そこでＦＴＡが開発された。
【０００４】
ＦＴＡでは、最終事象が頂点に位置し、その最終事象に対してその最終事象の起因となり得る一次事象群が論理記号で結合され、各一次事象に対してその一次事象の起因となり得る二次事象群が論理記号で結合され、以下順に、各上位事象に対してその上位事象の起因となり得る下位事象群が論理記号で結合された事象の連鎖解析図（ＦＴ図）を作成する。このＦＴ図は、最終事象とその起因となり得る事象群の複雑な連鎖の関係をビジュアルに表示することから、このＦＴ図を作成することで最終事象の背後に存在する事象群の構造的関係が明らかになる。
【０００５】
従来、このＦＴ図は、解析する装置、方法あるいはシステムに深い造詣を有する者がＦＴＡの手法を学び、時間をかけて手作業でＦＴ図を作成していた。
【０００６】
【発明が解決しようとする課題】
ＦＴ図は問題を論理的に解析するのに非常に有用なツールであるものの、その作成には長時間を要し、しかも、装置、方法あるいはシステムに深い造詣を有する一般には多忙な者が担当しなければならないことから、しばしばＦＴ図を作成する時間が取れないことがおこる。そこで、本発明ではＦＴ図作成過程を支援し、短時間でＦＴ図が作成できるように支援する技術を実現する。
【０００７】
【課題を解決するための手段と作用と効果】
本発明では、事象の連鎖解析図（ＦＴ図）の作成を支援する為に、上位事象に対する下位事象群の入力を促す表示をし、入力された下位事象群をそのときの上位事象と関連付けて記憶し、このようにして記憶された上位事象と下位事象群の連鎖を図式化して事象の連鎖解析図の作成を支援するプログラムが記憶されている媒体及び装置を創作した。
【０００８】
このプログラムをコンピュータで実行すると、問題の解析担当者は、問題事象の起因となり得る下位事象群の入力を促す表示に従って下位事象群を入力してゆけばよく、この入力操作をするだけでＦＴ図が作成される。即ち、コンピュータが入力された事象群の上位・下位の関連付けを含めて記憶しているために、入力完了後に、入力された事象群を上位・下位の関連付けに対応して階層的に配置した図式に展開でき、解析担当者の入力作業とコンピュータ処理とが相俟ってＦＴ図が効率的に短時間で作成される。
【０００９】
この技術によると、問題の解析担当者は自己の造詣を生かしながら起因となり得る下位事象群の洞察に専念することができ、良質なＦＴ図を短時間で作成できることになる。即ち、作図時のレイアウト等を考えながら事象群を書き加えていくという煩わしい作業を長時間続けると、いくつかの事象が欠落しやすいのに対し、この技術を活用すると起因となる事象群の洞察に専念しながら短時間に集中して解析できるために、良質なＦＴ図が得られる。
この技術によると、良質なＦＴ図が短時間で作成できるようになるために、本来的にはＦＴ図を作成して問題の構造的把握が必要とされていながら時間が取れないままに対処療法を施していたような各種問題に対して、ＦＴ図を作成して問題を構造的に把握した上で的確な対策を講じることが可能となる。
【００１０】
上記の基本的プログラムに、入力された下位事象群の一つを選択したときに、その選択された下位事象のさらに下位の事象群の入力を促す表示をするプログラムが付加されていることが好ましい。
このプログラムが付加されていると、解析担当者はトップダウン式に問題事象の解析を進めることができ、ＦＴ図に起因となり得る事象群をもれなく網羅し易くなる。
【００１１】
下位要因群の全部を入力したときに、それに対する上位事象以外の同位の事象の入力を促す表示をするプログラムが付加されていることも好ましい。
このプログラムが付加されていると、問題の解析担当者はボトムアップ方式に問題事象の解析を進めることができ、人間の自然な思考過程に沿いながら事象群の入力作業を効率的に進めやすい。
【００１２】
さらに、入力された下位事象群から関連事象を検索するプログラムが付加されていることが好ましい。
このプログラムが付加されていると、複数の解析担当者が独立して起因となり得る事象群の洞察をすすめて入力し、その後に関連事象を検索して整理することができ、複数の解析担当者の造詣を総合して得られる極めて良質なＦＴ図を短時間で作成しやすくなる。
【００１３】
さらに、入力された事象群の一つを選択し、さらに他の一つの事象を選択したときに、選択された一方の事象を他方の事象の下位事象と関連付け直すプログラムが付加されていることが好ましい。
このプログラムが付加されていると、問題の解析担当者は、上位・下位の関連を気にせずにまずは起因となり得る事象群を入力し、ついで、事象間の上位・下位の関連付けを整理することができ、複数の解析担当者が共同してＦＴ図を作成する作業がやり易い。
【００１４】
【発明の実施の形態】
最初に、本発明の実施形態のいくつかの特徴を列挙する。
（形態１）  請求項１において、事象の主語群と述語群のリストを表示し、そのリストから主語と述語を選択して事象の入力を支援するプログラムが付加されている。
（形態２）  形態１において、前記リストが、技術分野別に用意されている。
（形態３）  形態1において、前記リストに新たな用語を登録するプログラムが用意されている。
（形態４）  請求項１において、要因を記述するに不適当な用語群を記憶しておき、記憶されている不適当用語が入力されたときに不適当表示をするプログラムが付加されている。
（形態５）  請求項２、３の付加プログラムの両者を持ち、いずれか一方を選択して起動させるプログラムを有する。
（形態６）  請求項５の付加プログラムを持ち、解析作業者の操作によってそのプログラムを起動させるプログラムを有する。
（形態７）  最下位事象の発生確率が入力されたときに、上位事象の発生確率を計算するプログラムが付加されている。
【００１５】
【実施例】
図1は、本発明に従って作成されたプログラム記憶媒体をコンピュータに記憶させた状態のコンピュータのシステム構成を示している。
このコンピュータは、ＣＰＵ２を持ち、それにＣ/Ｄドライブ４、キーボード６、マウス８、表示機１０、プリンタ１２、記憶装置１４が接続されて構成されている。Ｃ/Ｄドライブ４は、本実施例のプログラム記憶媒体１３（具体的にはＣ／Ｄディスク）に記憶されているプログラムを読み込んで、このコンピュータにそのプログラムをインストールするときに用いられる。この他、必要なデータ等を保管する為にも用いられる。
【００１６】
プログラムがインストールされると、コンピュータの記憶装置１４には、概念的に図１に示される各種記憶領域が用意される。即ち、記憶装置１４の一部に、ＦＴ図作成支援プログラム１６が記憶される。また、このプログラムが実行されて事象が入力される時に参照される用語リストを記憶している領域３２、不適当用語リストを記憶している領域３４、ＦＴ図の一部（これをブロックＦＴ図という）のコレクションを記憶している領域３６、先に作成したＦＴ図を記憶している領域３８が用意される。
【００１７】
ＦＴ図作成支援プログラム１６の記憶領域には、後述する各種処理を実行するプログラムが記憶されているが、特に、トップダウン方式でＦＴ図を作成する過程を支援するときに起動されるＴＤサブプログラム１８、ボトムアップ方式でＦＴ図を作成する過程を支援するときに起動されるＢＵサブプログラム２０、ポストイット方式でＦＴ図を作成する過程を支援するときに起動されるＰＩサブプログラム２２、作成されたＦＴ図をプリンタ１２で印刷するときに起動される印刷プログラム３０等を含んでいる。ＰＩサブプログラム２２には、入力された事象群を検索するプログラム２４、一旦入力された事象を他の記述に置換するプログラム２６、事象と事象の関連付けを修正するプログラム２８が含まれている。
【００１８】
用語リスト３２は、事象を記述するにあたって多用される主語群と述語群を含んでおり、少ない用語群のなかから選択できるようにして選択操作をやりやすくするために、技術分野別に用語群が記憶されている。例えば、電気システムを解析するときには、電気に関連する事象を記述するときに多用される用語を記憶しているリストが選択されて用いられる。このようにすることで、電気用語、機械用語、化学用語が混在している長いリストから用語を選択するのでなく、電気用語が集中的に用意されているリストから用語が選択できる。なお、このリストは解析担当者が拡充していくことができ、このプログラムを活用しながら使いやすいものに進化させていくことができる。
【００１９】
不適当用語リスト３４は、事象を記述するにあたって不適当な用語群を記憶しており、例えば、コンポジットチューブが破損するという問題事象を解析するにあたって「素材が悪い」という下位事象が入力されると、作成されたＦＴ図をみて対策の立案にあたる者が、「素材に不純物が混じっている」と理解したり、「素材が劣化している」と理解したり、「素材の選択が不適であった」と理解したり、「注文した素材よりも等級の低い素材が納入された」と理解する可能性があり、解釈に幅がありすぎることになり、「素材が悪い」という記述は事象を記述するに適当でないといえる。あるいは、エンジンの問題を解析するのに、「エンジンが」という主語で事象を記述することも適当でない。不適当用語リスト３４は、事象を記述するにあたって不適当な用語群を記憶しており、解析作業者が不用意に事象を不適当に記述して入力したことを判別して注意を喚起するのに用いられる。
用語リスト３２、不適当用語リスト３４の記憶内容は、使用者によって拡充・更新されていく。
【００２０】
図２は、作成されるＦＴ図の一例を示している。図中のゼロは、解析する問題事象、即ち最終事象である。その右に示される論理記号は、上位の事象と下位の事象間の論理関係を示し、この場合、ＯＲ記号であることから、ゼロの最終事象は、１−１の一次事象または１−２の一次事象のいずれかに起因して生じる関係にあることを示している。これに対し、事象２−２の右側にはＡＮＤ記号が示されており、事象２−２は、事象３−４と事象３−５の両者が生じたときに生じる関係にあることを示している。菱形で示される事象は非展開事象であり、情報不足、解析技術の不完全性等に起因してそれ以上には下位の事象に展開できない事象に相当する。図中の楕円で示される事象は基本事象であり、その性質からこれ以上には下位の事象に展開できない基本的な事象に相当する。非展開事象と基本事象は最下位事象である。
【００２１】
各枠内のハイフンに先立つ数字は事象群の階層的連鎖内における事象の次数を示し、ＦＴ図では、左側に上位の事象が表示され、右側に下位の事象が表示される。ＦＴ図では、上側に上位の事象が表示され、下側に下位の事象が表示される形式も可能で、コンピュータがプログラムに従って作動することで図式化したＦＴ図をプリンタ１２で印刷するときに、ＦＴ図を縦書き形式で印刷するか、横書き形式で印刷するかを選択できる。
【００２２】
図２のＦＴ図は、ゼロで示される最終事象が「コンポジットチューブが破損する」であり、その最終事象は、１―１の「亀裂が発生する」か、１−２の「同チューブが変形する」かの一次事象のいずれかに起因し、１−１の「亀裂が発生する」という一次事象は、２−１の「入力が大きい」か、２−２の「材質が環境で劣化する」か、２−３の「材料強度が不足する」かのいずれかの二次事象に起因し、２−１の「入力が大きい」という二次事象は、３−１の「外力荷重が大きい」か、３−２の「トルクが大きい」か、３−３の「軸方向荷重が大きい」かのいずれかの三次事象に起因し、３−１の「外力荷重が大きい」という三次事象は、４−１の「搭載中に物にぶつかる」か、４−２の「搭載中に物がぶつかる」か、４−３の「搭載後に物にぶつかる」か、４−４の「搭載後に物がぶつかる」かのいずれかの四次事象に起因し、２−２の「「材質が環境で劣化する」という二次事象は、３−４の「温度が高い」という事象と３−５の「保護層が破れる」という三次事象の両者が生じたときに起こり、３−５の「保護層が破れる」という三次事象は、４−５の「保護層が薄い」か、４−６の「下地層がない」かのいずれかの四次事象に起因していることを示している。
文章で書くと複雑で理解しづらい事象群の構造的関係が、ＦＴ図によってビジュアルに表示されて理解しやすくなることが確認される。
【００２３】
図３は、トップダウン方式で事象群に展開して行く場合の事象の入力の順を示す。最終事象が一番に入力され、その起因となり得る一次事象が次に入力され、さらに、二次事象、三次事象の順に下位の事象が入力されていく。この方式で事象を入力すると、事象が漏れなく織り込まれやすいことが経験的に確認されている。
【００２４】
図４は、今ひとつの典型的な入力の順を示す。これをこの発明ではボトムアップという。問題が起こったとき、通常の人間は、事象の連鎖の内の一本を洞察しやすい。入力順の１〜５まではこの1本の連鎖の入力過程に対応する。この作業が終了して一つの最下位事象まで入力されたとき、解析担当者に、他の最下位事象を洞察して入力するように促すと、比較的容易に他の事象群が洞察される。これが入力順の６〜８に対応する。最下位事象の入力が一巡したときに、解析担当者に、その上位の事象であって先に入力した事象（順位４で入力されている）以外の事象を洞察して入力するように促すことで、順位９〜１０の順、さらに、順位１１〜１２の順、さらに、順位１３の順に従って入力されていく。この場合、例えば順位１１で入力される事象の下位事象を入力するためには、図３に説明したトップダウン方式を活用する。
ボトムアップ方式は、通常の人間が洞察しやすい一本の連鎖を中心にして解析していくことから人間の感覚になじみやすく、短時間でＦＴ図が得られることが経験的に確認されている。
【００２５】
上記したトップダウン方式とボトムアップ方式は、単独ないし少数の解析作業者が体系的に事象を入力していくのに適している。これに対して、数名以上の者が会議をしながら問題の構造的解析にあたる場合、上位と下位の関連付けと離れて、起因となる事象群をブレーンストーミング的に入力したほうがやり易い。そして一旦入力した事象群を再構成し、階層的構造に整理していったほうが衆知を集めやすい。この方式を本発明ではポストイット方式という。
【００２６】
本実施例のＦＴ図作成支援プログラムは、トップダウン方式での事象入力、ボトムアップ方式での事象入力、ポストイット方式での事象入力のすべての入力方式を支援する。
【００２７】
図５〜７は、表示機１０に表示される表示内容を示す。画面の左側は入力された事象群を表示する領域であり、右側が入力を支援するツールの表示領域である。入力は原則としてマウス８で入力し、足りないところをキーボード６で入力する。
【００２８】
この支援プログラムを起動すると、トップダウン、ボトムアップ、ポストイット方式の選択ができ、図５はトップダウンの表示４０をマウス８でクリックしたときの画面を示す。この画面によって事象を上位から下位に入力する。
【００２９】
事象の入力を支援するために、主語群リスト４８と述語群リスト５２が表示されており、このリスト中に入力したい事象を記述するのに適当な用語が含まれていれば、その用語をクリックすることで、入力する事象の主語が領域４６に表示され、述語が領域５０に表示される。リストに適当な用語がない場合には、領域４６をクリックした状態でキーボード６から主語を入力し、領域５０をクリックした状態でキーボード６から述語を入力する。領域４６と５０に入力する事象が記述されたときに設定と表示されているアイコン５６をクリックすることで、記述した事象が入力される。ＦＴ図上で強調して表示したい事象には強調アイコン５４をクリックしておいて設定アイコン５６をクリックする。
【００３０】
上記の入力手順に従ってまず最終事象を入力する。最終事象が入力されると、画面左側のゼロで示される領域に入力された最終事象が表示される。なお、事象表示領域の左側に示される数字は、表示される順を示し、最終事象ゼロが一番目に表示される。
【００３１】
一つの事象の入力後に、下位事象を入力する場合には、次へのアイコン６２をクリックする。この状態で、前記した操作を繰返して事象を入力する。このようにして入力された事象は最初の一次事象であり、画面左側の１−１に示される領域に表示される。
【００３２】
下位事象を入力するときには論理記号の欄４２をクリックしてＡＮＤまたはＯＲ等の論理記号の一つを選択しておく。また、欄４４を活用して、入力する事象のタイプ、例えば最下位事象か否かといったことを指定しておく。
【００３３】
一つの下位事象の入力後に、同位の別の事象を入力する場合には、事象挿入アイコン５８をクリックする。この状態で、前記した操作を繰返して事象を入力する。このようにして入力された事象は２個目の一次事象であり、画面左側の１−２に示される領域に表示される。図５は７個の事象を入力し、次に８個目の事象を入力するときを表示しているので、領域１−２が下側に表示されているが、三番目に入力された２個目の一次事象１−２が最初に表示されたときは、領域１−１の直下の行に表示される。
【００３４】
前記したように、下位事象を入力する場合には、次へのアイコン６２をクリックする。すると、その直前に入力された次数の事象の内、最初に入力された事象（この場合１−１）がハイライト表示され、その下位の事象の入力が促される。この状態で、解析作業者は１−１の事象の起因となりえる事象を洞察してその事象を入力する。同位の事象の入力を継続している間は、前記したように、事象挿入アイコンをクリックする。このようにして、表示順４〜６に示す事象２−１から２−３が入力されていく。事象２−１から２−３が入力された直後には、事象２−１の直下の行に事象２−２が表示され、事象２−２の直下の行に事象２−３が表示される。事象２−１から事象２−３が入力されていくに従って、事象１−２の表示行は下方にシフトしていく。
【００３５】
同位の事象の入力が終了したら、下位の事象を入力する為に、次へのアイコン６２をクリックする。すると、その直前に入力された次数の事象の内、最初に入力された事象（この場合２−１）がハイライト表示され、この状態で、事象を入力することで、ハイライト表示されている事象２−１の下位の事象として７番目の事象３−１が入力され、表示される。
【００３６】
８番目の事象を入力するに先だって、次へのアイコン６２をクリックすると、３−１の事象がハイライトされ、次に入力される事象が３−１の事象の下位事象と関連付けられる。この場合、次に入力される事象は４−１であり、６２Ａに示される位置に表示される。８番目の事象を入力するに先だって、事象挿入アイコン５８をクリックすると、ハイライト表示は２−１に残り、次に入力される事象が２−１の事象の下位で３−１の事象と同位の事象と関連付けられる。この場合、次に入力される事象は３−２であり、５８Ａに示される位置に表示される。
事象２−１がハイライト表示された状態で、その事象２−１に対する下位の事象群の入力が完了し、次に、事象２−１に同位な事象２−２の下位の事象の入力をする場合には、次の事象アイコン６０をクリックする。すると、ハイライト表示が事象２−１から２−２に移り、事象２−２の下位の事象の入力が促される。８番目の事象を入力するに先だって、次の事象アイコン６０をクリックすると、次に入力される事象は３−３と関連付けられ、６０Ａに示される位置に表示される。
【００３７】
図５の破線で示される表示６２Ａ、５８Ａ、６０Ａは、アイコン５８，６０，６２のうちのどれをクリックしておいて入力するかに応じて、いずれかの一つが表示される。いずれの場合も、上位の事象がハイライト表示された状態で入力する。即ち、事象４−１は事象３−１がハイライト表示された状態で入力され、事象３−２は事象２−１がハイライト表示された状態で入力され、事象３−３は事象２−２がハイライト表示された状態で入力される。いずれの場合も、解析担当者はハイライトされている事象表示に促されながらその事象の起因となり得る下位の事象を洞察しながら入力する操作を続けるだけで、下位事象を上位事象に関連付けながら入力することができる。
【００３８】
図６は、解析担当者が、ボトムアップアイコン６４をクリックしたときの表示を示す。この状態では、次に入力される事象の階層を指定するために、事象挿入アイコン５８と、次へアイコン６４と、定義終了アイコン６６が表示される。定義終了アイコン６６は一本の連鎖の入力操作中に最下位事象の入力が終了したときにクリックされ、この定義終了アイコン６６がクリックされるまでは次へのアイコン６４によって下位の事象の入力が促され、この定義終了アイコン６６がクリックされた以降では次へのアイコン６４によって上位事象の入力が促される。
【００３９】
ボトムアップ方式を選択すると、解析作業者は、最終事象の入力、次へアイコン６４クリック、一次事象１−１入力、次へアイコン６４クリック、二次事象２−１入力、次へアイコン６４クリック、三次事象３−１入力、次へアイコン６４クリック、四次事象４−１入力を繰返して、一本の連鎖を最下位事象４−１に至るまで完成する。最下位事象の入力を完了したときに定義終了クリック６６をクリックする。
【００４０】
一つの最下位事象の入力が完了したら、次には事象挿入アイコン５８を使って同位の事象を入力してゆく。これによって、図６の場合、事象４−２、４−３、と入力されていく。
この段階で次へクリック６４をクリックして次の事象を入力すると、今までに入力していた事象の上位事象（この場合３−１）と同位で他の事象の入力が促される。事象挿入アイコン５８をクリックして次の事象を入力すると、今までに入力していた事象（この場合４−１から４−３）と同位の事象が入力される。
【００４１】
いずれの場合も、上位の事象がハイライト表示された状態で入力する。即ち、事象４−４は事象３−１がハイライト表示された状態で入力され、事象３−２は事象２−１がハイライト表示された状態で入力される。いずれの場合も、解析作業者はハイライトされている事象表示に促されながらその事象の起因となり得る下位の事象を洞察しながら入力する操作を続けるだけで、下位の事象を上位の事象に関連付けながら入力することができる。
【００４２】
図７は、ポストイットアイコン６８をクリックした状態を示す。この場合、複数の解析担当者がブレーンストーミング的に最終事象の起因となりえる事象群を任意に入力することができる。このようにして入力された状態が（Ｂ）に示され、入力された下位事象はすべて同位と関連付けられる。この入力に際して複数の解析担当者はブレーンストーミング的に起因となり得る事象を入力することができ、単独で解析作業しているときには洞察できない事象まで検討して入力することができる。このポストイット方式によると、叡智を集めて問題を解析する作業が支援される。
【００４３】
このようにして入力される事象群は実質的に同じ事象が類似の表現で重複して入力され易い。この重複入力をチェックする為に、この支援プログラムには、検索プログラムが組込まれている。このプログラムを起動すると、図７の右側に示す表示が現れる。そこで、解析担当者は、重複が予想される事象について、検索する主語または述語を入力し（入力された用語はそれぞれ領域７０，７２に表示される）、検索アイコン７４をクリックする。すると、検索結果が領域７６に一覧表示される。これによって、入力された事象から関連事象が検索される。
【００４４】
検索された事象群のうち、別事象を記述していて一纏めにすることが不適当な事象については、その事象をクリックしておいてはずすクリック７８をクリックする。これによって指定された事象は以下の処理対象からはずされる。
【００４５】
領域７６にははずされない事象群のみが表示される。この状態で、解析担当者は、一纏めにする事象を記述するに適当な用語を領域８０と８２に入力し、置き換えるアイコン８４をクリックする。以上の処理によって類似する表現で重複して入力されている事象群が整理され、一つの事象とされる。図７の（Ａ）がその過程を模式的に示し、類似表現で重複して入力されている事象７６が一つの事象に置換えられる。
【００４６】
解析担当者は、図７の（Ｂ）に示される事象の単純列挙構造を、（Ｃ）に示される階層的構造に再編することができる。この場合、関連付け直しアイコン８６をクリックする。
【００４７】
この状態では、画面左側に示される（Ｂ）の画面上で、２つの事象をクリックして一方を他方の下位事象と関連付け直す処理が可能である。即ち、（Ｂ）に示すように、最初に事象１−２をクリックし、ついで事象１−５をクリックすると、最初にクリックされた事象１−２が次にクリックされた事象１−５の下位事象と関連付け直される。（Ｃ）は関連付け直された結果を示し（かっこ内が関連付け直し以前の事象番号）、元は１−２であった事象が２−１とされ、元は１−３から１−５であった事象が１−２から１−４と整理され、関連付け直された事象２−１が関連付け直された事象１−４の下位事象に関連付け直される。解析担当者は以上の処理を繰返すことで、図７（Ｂ）の同位列挙構造から、図７（Ｃ）さらには図２に例示した階層的構造に変えていくことができる。
【００４８】
この実施例のプログラムには、さらに発生確率計算プログラムが用意されている。図２に例示したＦＴ図において、最下位事象４−１から４−４の事象の発生確率がそれぞれわかっていれば、事象３−１の発生確率が計算できる。この実施例ではこの計算プログラムが用意されており、最下位事象の発生確率を入力することで、それよりも上位の各事象の発生確率が計算されてＦＴ図に計算された確率が表示される。
【００４９】
事象の入力、あるいは必要に応じて入力された事象群の関連付け直し処理が終了した段階で、図式化アイコンをクリックすると、コンピュータは入力された事象群と、事象群を関連付ける情報に従って図２に例示したＦＴ図を作成する。作成されたＦＴ図はプリンタ１２で印字することができる。印字にあたって、縦書きと横書きが選択でき、上位から下位の事象が、左から右に展開される形式と、上から下に展開される印字形式が選択できる。
【００５０】
作成されたＦＴ図は、既作成ＦＴ図ファイル３８に記憶可能で、将来必要に応じて参照したり、修正することができる。
ＦＴ図を一部を記憶して将来活用することも可能であり、例えば、図２の事象３−１から４−１〜４−４までをブロックとして記憶しておき、別のＦＴ図の作成に際して、すでに作成済みブロックを活用して新たなＦＴ図をさらに効率的に作成することもできる。
【００５１】
この発明は、以上に説明した実施例の技術に限定されるものでなく、実施の形態と特許請求の範囲に記載した技術の範囲内でさまざまに活用することができる。特に、プログラム記憶媒体は、プログラムを頒布するために用いられる狭義の媒体に限られず、プログラムを複製ないし実行可能に記憶しているあらゆる手段を含み、コンピュータの記憶装置もまたここで言う記憶媒体である。
【図面の簡単な説明】
【図１】  実施例のプログラムをインストールしたときのハードウエアの構成図
【図２】  ＦＴ図の一例
【図３】  トップダウンで事象を入力していくときの入力順の一例
【図４】  ボトムアップで事象を入力していくときの入力順の一例
【図５】  トップダウンで事象を入力していくときの入力画面の一例
【図６】  ボトムアップで事象を入力していくときの入力画面の一例
【図７】  ポストイットで事象を入力していくときの入力画面の一例
【図１】
0003791279.tif 000002
【図２】
0003791279.tif 000003
【図３】
0003791279.tif 000004
【図４】
0003791279.tif 000005
【図５】
0003791279.tif 000006
【図６】
0003791279.tif 000007
【図７】
0003791279.tif 000008